(57)【要約】【課題】フック内側から外側への回動が阻止されてフック開口部を閉止する第１外れ止め具のみが付いているフック装置において、その第１外れ止め具を取付けている枢支軸を利用して、第１外れ止め具と共にフック開口部を外側から閉止する第２外れ止め具を取付け、かつ両者を連動させることで、操作性、安全性の優れたフック装置を提供する。【解決手段】フック基部に設けた枢支軸に一端を回動可能に枢支すると共にその他端がフック内側から外側への回動を阻止されてフック開口部を閉止する第１外れ止め具と、前記枢支軸を利用してフック基部に取付けたブラケットと、このブラケットの適所に一端を回動可能に枢支すると共にその他端がフックの先端部に外側から当接してフック開口部を外側から閉止する第２外れ止め具と、前記第１外れ止め具の適所と第２外れ止め具の適所を枢支連結したリンクとを具え、このリンクを介して前記第１外れ止め具と第２外れ止め具とが連動して両者が共に開放位置又は閉止位置となるよう構成した。【選択図】        図１
2004307108.tif 000002
【特許請求の範囲】
【請求項１】
フック基部に設けた枢支軸に一端を回動可能に枢支すると共にその他端がフック先端部の鉤部に内側から当接することによりフック内側から外側への回動が阻止されてフック開口部を閉止し、かつその閉止方向にスプリングで常時付勢した第１外れ止め具と、前記枢支軸を利用してフック基部に取付けたブラケットと、このブラケットの適所に一端を回動可能に枢支すると共にその他端がフックの先端部に外側から当接してフック開口部を外側から閉止する第２外れ止め具と、前記第１外れ止め具の適所と第２外れ止め具の適所を枢支連結したリンクとを具え、このリンクを介して前記第１外れ止め具と第２外れ止め具とが連動して両者が共に開放位置又は閉止位置となるよう構成したことを特徴とするフック装置。
【請求項２】
第１外れ止め具の横幅を第２外れ止め具の横幅よりも幅広に構成したことを特徴とする請求項１記載のフック装置。
【発明の詳細な説明】
【０００１】
【発明が属する技術分野】
本発明は、クレーン、ホイスト、ウインチ等の玉掛け用に使用するワイヤロープ等の外れ止め装置を有するフック装置に関するものである。
【０００２】
【従来の技術】
フック装置は、ワイヤロープ等が当該フックから外れることを防止するための装置を備えることが法律によって義務付けられており、従来から、種々の外れ止め機構を具えたフック装置が用いられている。
以下、従来から一般的に普及している外れ止め装置を有するフック装置の構成について説明する。
【０００３】
図６は、従来の一般的なフック装置の側面図である。外れ止め具２１は、その一端がフック１の基部に設けた枢支軸２２に回動可能に取付けられ、当該外れ止め具２１の他端はフック先端部の鉤部にフック内側から当接することによりフック内側から外側への回動が阻止されてフック開口部を閉止し、かつその閉止方向にスプリング２３で常時付勢して取付けられており、このフック装置にワイヤロープ等を掛けるには、図７に示すように、手指を以って外れ止め具２１をフック１の内側に押し開いた状態でワイヤロープ等をフックに掛ける。また、フックからワイヤロープ等を外す場合も同様に、手指を以って外れ止め具を内側に押し開いた状態でワイヤロープ等をフックから外す。
【０００４】
当該外れ止め具は、フック先端部の内側部分にスプリング２３のばね力で常時押圧されているため、ワイヤロープ等が弛み、図８のようにワイヤロープ等が浮き上がる状態となった場合でも、ワイヤロープ等がフックから外れない様になっている。
【０００５】
しかしながら、従来の外れ止め装置では、図８のようにワイヤロープ等が弛んで浮き上がった状態で、ワイヤロープ等に捻れ等が加わった場合には、図９のようにワイヤロープ等がフック先端部を乗り越える場合がある。この状態でフックが上昇し、ワイヤロープ等に荷重がかかると、フック先端部を乗り越えたワイヤロープ等がばね力に抗して外れ止め具を押し開き、ワイヤロープ等がフックから外れる現象が発生する。これにより吊荷の落下や転倒を引き起こし、吊荷の破損や人身事故等の災害につながる可能性がある。
【０００６】
この点に関する改良技術として、フック先端部の鉤部に内側から当接することによりフック内側から外側への回動が阻止されてフック開口部を閉止し、かつその閉止方向にスプリングで常時付勢した第１外れ止め具と、フック先端部に外側から当接してフック開口部を外側から閉止する第２外れ止め具とをフックの基部にそれぞれ枢支し、これらの第１外れ止め具及び第２外れ止め具の基部にそれぞれ設けたギヤを連結して両者を連動させるようにしたものが知られている（特許文献１参照）。
【０００７】
【特許文献１】
登録実用新案３０１７６６４号公報
【０００８】
【発明が解決しようとする課題】
ところが、このフック装置は、第１外れ止め具が装着された既設のフック本体にこのような第２外れ止め具を装着する場合には、フック本体を第１外れ止め具及び第２外れ止め具が取付可能なフック本体に交換する必要があり、高コストになると考えられる。また、ギヤを使用しているため部品加工が複雑となるばかりでなく、ギヤ部に異物が噛み込んだ場合には動作不良を引き起こす恐れがある。
【０００９】
本発明は、第１外れ止め具のみが付いていたフック装置において、その第１外れ止め具を取付けている枢支軸を利用して、第１外れ止め具と第２外れ止め具とを簡単にかつ安価に取付け、かつ両者を連動させることで、操作性、安全性の優れたフック装置を提供しようとするものである。
【００１０】
【課題を解決するための手段】
これがため本発明は、フック基部に設けた枢支軸に一端を回動可能に枢支すると共にその他端がフック先端部の鉤部に内側から当接することによりフック内側から外側への回動が阻止されてフック開口部を閉止し、かつその閉止方向にスプリングで常時付勢した第１外れ止め具と、前記枢支軸を利用してフック基部に取付けたブラケットと、このブラケットの適所に一端を回動可能に枢支すると共にその他端がフックの先端部に外側から当接してフック開口部を外側から閉止する第２外れ止め具と、前記第１外れ止め具の適所と第２外れ止め具の適所を枢支連結したリンクとを具え、このリンクを介して前記第１外れ止め具と第２外れ止め具とが連動して両者が共に開放位置又は閉止位置となるよう構成している。
【００１１】
これにより、従来の第１外れ止め具のみを有するフック装置のフック本体をそのまま利用して第１外れ止め具及び第２外れ止め具を取付けることが出来るので、安全性がさらに向上したフック装置を低コストにより提供することが出来る。また第１外れ止め具を、手指でもって内側に押し開く動作により、リンクを介して連結された第２外れ止め具が第１外れ止め具の動作と連動してフックの外側に向って跳ね上がりフックを開口し、またその状態で手指を離せば第１外れ止め具及び第２外れ止め具はスプリングにより共に閉止位置となるので、確実で故障が少なく操作性がよいフック装置となる。
【００１２】
また本発明において、第１外れ止め具の横幅を、第２外れ止め具の横幅より幅広に構成すれば、第１外れ止め具を手指をもってフックの内側に押し開く動作を容易にし、操作性が向上する。
【００１３】
【発明の実施の形態】
以下、本発明の実施の形態について、図を用いて説明する。
図１は本発明によるフック装置の実施の形態を示す斜視図であり、図２は、本発明によるフック装置の側断面図である。
【００１４】
本発明によるフック装置は、図１及び図２に示すように、第１外れ止め具２、第２外れ止め具３、ブラケット４、スプリング５、リンク６、スプリングピン７、スプリングピン８、カラー９、及び、止ネジ１０から構成されている。
【００１５】
第１外れ止め具２は、図６に示す従来の一般的な外れ止め具と同様、フック基部に設けた耳部に穿設した孔に枢支したスプリングピン７を枢支軸としてその一端が回動可能に取付けられ、その他端がフック先端部の鉤部をフックの内側から当接することによりフック内側から外側への回動が阻止されてフック開口部を閉止し、かつその閉止方向にスプリング５で常時付勢して取付けられている。
【００１６】
スプリングピン７は、第１外れ止め具２の枢支軸となると同時に、第２外れ止め具３を取付けるためのブラケット４の固定に使用される。
第２外れ止め具３は、このブラケット４の適所に設けたスプリングピン８を枢支軸として回動可能に取付けられ、フック先端部に外側から当接してフック開口部を外側から閉止するよう取付けられている。
また、ブラケット４と第２外れ止め具３との隙間には、カラー９を入れることで、第２外れ止め具３が横方向にずれるのを抑えている。
【００１７】
第２外れ止め具３の枢支軸８をはさんで、この第２外れ止め具３がフック先端部と当接する端部と反対側の端部と、第１外れ止め具２の側部２ａ、２ａとをリンク６、６で枢支連結している。即ち、第３図に示すように、リンク６はＬ字状となっており、このリンク６の両端部を第１外れ止め具２の側部２ａの適所に設けた穴１２及び第２外れ止め具３のブラケット４側にある端部に設けた穴１３にそれぞれ挿入して第１外れ止め具２及び第２外れ止め具３とを枢支連結している。なお、リンク６の両端部は穴１２、穴１３にそれぞれ挿入した後、鉤型に折曲げて穴１２、穴１３より抜け出さないようにしている。
【００１８】
ブラケット４は、フック１を挟んでスプリングピン７と反対側の位置に止ネジ１０を配置し、ブラケット４が、スプリングピン７を枢支軸として回動することを防止し、第２外れ止め具３の回動時の動作を安定させている。
【００１９】
次に、本発明の作用を説明する。
図４は、本発明におけるフック装置の作用を示す側断面図であって、第１外れ止め具及び第２外れ止め具が回動してフック開口部が開口した状態を示している。
図４に示すように、手指を以って第１外れ止め具２を矢印方向に押し開く動作により、第１外れ止め具２に取付けられたリンク６が引張られる。リンク６が引張られることにより、第２外れ止め具３もリンク６を介して同時に引張られることから、第２外れ止め具３がフックの外側に向かって跳ね上がるように回動し、フック開口部を開放する。
ワイヤロープ等の掛け外しは、このようにフック開口部を開放した状態で行う。
【００２０】
手指を以って第１外れ止め具２を押し開く力を解除すれば、スプリング５のばね力によって、第１外れ止め具２はフック先端部の鉤部に内側から当接する方向に回動し、それに連動してリンク６で連結された第２外れ止め具３もフック先端部に外側から当接する方向に回動するので、図２に示すように、フック開口部が閉止する。
【００２１】
フック開口部が閉止した状態では、図５に示すようにワイヤロープ等が浮き上がり、フック先端部を乗り越えた場合でも、第２外れ止め具３の存在により第１外れ止め具２がワイヤロープ等により押し開かれることはなく、ワイヤロープ等は外れずに元の位置に戻るため、安全性が確保される。
【００２２】
また、図１に示すように、第１外れ止め具２の横幅を第２外れ止め具３の横幅よりも幅広に構成することで、手指を以って第１外れ止め具２を押し開く際に、第２外れ止め具３が邪魔になることはない。
【００２３】
なお、本発明によるワイヤロープ等外れ止め装置の取付に際しては、第１外れ止め具２、第２外れ止め具３、ブラケット４、リンク６、スプリングピン８、及びカラー９を組み合わせた状態のまま、ブラケット４の環形状部を、フック１の先端部から基部までくぐらせて通し、次にスプリング５を組み合わせながらフック基部の孔にスプリングピン７で串刺し固定するだけで、簡単に外れ止め装置をフック１に取付けることが出来る。
この後、ブラケット４のネジ穴に止ネジ１０を取付固定することで、ブラケット４が、スプリングピン７を枢支軸として回動することを防止する。
【００２４】
【発明の効果】
以上のように、本発明のフック装置は、フックの基部に第１外れ止め具の枢支軸の取付孔があれば第２外れ止め具を取付けることができる。即ち、従来の第１外れ止め具の取付孔と同形状で取付互換性があることから、フック１を交換する必要がなく、簡単に低コストで従来の一般的な外れ止め具と交換装着可能というすぐれた効果を有している。
また、第１外れ止め具の横幅を第２外れ止め具の横幅より幅広に構成したことにより、第１外れ止め具の外側を手指でもってフックの内側に押し開く動作を行えば、第２外れ止め具が手指に邪魔されずフックの外側に向かって跳ね上がり、フック開口を開放することから、玉掛け、玉外し作業時の操作性が優れている。
また、第１外れ止め具と第２外れ止め具との連動を両者の間に介装したリンクを介して行うようにしたので、簡単に確実に、しかも安価にワイヤロープ等がフックから外れることを確実に防止できる安全性の高いフック装置を得ることが出来た。
【図面の簡単な説明】
【図１】本発明の実施の形態に係るフック装置を示す斜視図である。
【図２】本発明の実施の形態に係るフック装置を示す側断面図である。
【図３】図２のＡ−Ａ断面図である。
【図４】本発明の実施の形態に係るフック装置における、第１外れ止め具及び第２外れ止め具を回動してフック開口部を開放した状態の側断面図である。
【図５】本発明の実施の形態に係るフック装置とワイヤロープ等との関係を示す側面図である。
【図６】従来の一般的な外れ止め装置を装着したフック装置を示す側面図である。
【図７】従来の一般的な外れ止め装置を装着したフック装置における、外れ止め具を回動してフック開口部を開放した状態の側面図である。
【図８】従来の一般的な外れ止め装置を装着したフック装置とワイヤロープ等との関係を示す側面図である。
【図９】従来の一般的な外れ止め装置を装着したフック装置とワイヤロープ等との関係を示す側面図である。
【符号の説明】
１  フック
２  第１外れ止め具
３  第２外れ止め具
４  ブラケット
５  スプリング
６  リンク
７  枢支軸（スプリングピン）
８  枢支軸（スプリングピン）
９  カラー
１０  止ネジ
１１  玉掛け用ワイヤロープ
１２  穴
１３  穴
２１  外れ止め具
２２  枢支軸（スプリングピン）
２３  スプリング
【図１】
2004307108.tif 000003
【図２】
2004307108.tif 000004
【図３】
2004307108.tif 000005
【図４】
2004307108.tif 000006
【図５】
2004307108.tif 000007
【図６】
2004307108.tif 000008
【図７】
2004307108.tif 000009
【図８】
2004307108.tif 000010
【図９】
2004307108.tif 000011